(57)【要約】【課題】電話コンセントに接続される機器に対して直流電源を供給でき、且つ、直流電源線の配線長を短くできる電話用配線システムを提供する。【解決手段】電話用配線システムは、電話機７からのケーブル７ｂに接続されたモジュラプラグ７ａが挿抜自在に接続されるプラグ接続口３１を有し、建物内に配設された複数の電話コンセント３と、建物内に入線された電気通信事業者からの電話回線Ｌ１が接続されるとともに、各電話コンセント３からの複数の電話線Ｌ２がそれぞれ接続され、電話回線Ｌ１を複数の電話線Ｌ２に分岐接続する電話端子台２１とを備える。電話端子台２１には、協調制御部１４から供給される直流電力を、少なくとも１つの電話コンセント３からの電話線Ｌ２に重畳するＤＣ電力重畳部２５が設けられ、少なくとも１つの電話コンセント３から、当該電話コンセント３に接続される機器に直流電力が供給される。【選択図】図１
2010081146.tif 000002
【特許請求の範囲】
【請求項１】
電話信号を伝送する通信機器からのケーブルに接続されたモジュラプラグが挿抜自在に接続されるプラグ接続口をそれぞれ有し、建物内の複数箇所にそれぞれ配設された複数の電話コンセントと、
建物内に入線された電気通信事業者からの電話回線が接続されるとともに、複数の電話コンセントからの複数の電話線がそれぞれ接続され、前記電話回線を複数の電話線に分岐接続する電話端子台と、
直流電源から直流電源線を介して供給される直流電力を、少なくとも１つの電話コンセントに重畳するＤＣ電力重畳部とを備え、
少なくとも１つの電話コンセントから、当該電話コンセントのプラグ接続口に接続される機器に対して直流電力が供給されることを特徴とする電話用配線システム。
【請求項２】
前記電話端子台に前記ＤＣ電力重畳部が設けられ、ＤＣ電力重畳部が、電話端子台に電話線を介して接続される少なくとも１つの電話コンセントに直流電力を重畳することを特徴とする請求項１記載の電話用配線システム。
【請求項３】
前記電話端子台と複数の電話コンセントの間に設けられて、電話端子台からの電話線と電話コンセントからの電話線とを中継接続する中継端子台を備えるとともに、当該中継端子台に前記ＤＣ電力重畳部が設けられ、ＤＣ電力重畳部は、中継端子台に電話線を介して接続される少なくとも１つの電話コンセントに直流電力を重畳することを特徴とする請求項１記載の電話用配線システム。
【請求項４】
前記電話コンセントに前記ＤＣ電力重畳部が設けられ、ＤＣ電力重畳部は、電話コンセントのプラグ接続口から、当該プラグ接続口に接続される機器に対して直流電力を供給することを特徴とする請求項１記載の電話用配線システム。
【請求項５】
前記直流電源が、商用交流電源から供給される交流電力を直流電力に変換するＡＣ／ＤＣ変換部と、商用交流電源の停電時に直流電力を供給するバックアップ電源とを備えたことを特徴とする請求項１乃至４の何れか１つに記載の電話用配線システム。
【発明の詳細な説明】
【技術分野】
【０００１】
本発明は、建物内に導入された電気通信事業者からの電話回線を、建物内の複数箇所に配設された複数の電話コンセントに配線する電話用配線システムに関するものである。
【背景技術】
【０００２】
従来、電気通信事業者から加入者宅に引き込まれた加入者回線を、加入者宅の複数箇所に配設された複数の電話コンセントに配線するために、例えば特許文献１に開示されるような電話線接続ジャック装着ユニットが使用されていた。
【０００３】
上述の特許文献１に開示された電話線接続ジャック装着ユニットでは、複数の電話線接続ジャックが装着された器体の内部に、複数本の電話線を束ねて成る電話線ケーブルが導入され、各電話線が電話線接続ジャックに結線されている。そして、この電話線接続ジャック装着ユニットは、例えば二重床の床下に配置され、壁面に配設される電話コンセントからの電話線を電話線接続ジャックに接続することで、電話コンセントが電話線接続ジャックを介して加入者回線に接続されるようになっている。
【特許文献１】実開平６−６８３４１号公報
【発明の開示】
【発明が解決しようとする課題】
【０００４】
ところで、電話通信事業者から加入者宅に引き込まれた加入者回線にはＤＣ４８Ｖの直流電圧が重畳されており、加入者回線に接続された電話機は、加入者回線に重畳された直流電圧を電源として駆動されるため、別途、商用交流電源などからの電源供給がなくても電話を起動することが可能であった。しかしながら、近年、留守応答機能などを有する多機能電話機やファクシミリ機能を有する電話機が提供されており、この種の電話機を動作させるためには、商用交流電源を直流に変換して得た直流電源を電話機に供給する必要があった。そのため、電話コンセントの近傍にＡＣコンセントを設置する必要があり、建物内に配線される電力線の配線長が長くなるという問題があった。  
【０００５】
またＩＰ電話の場合には、インターネットと宅内の電話線との間でプロトコル変換を行うＩＰ電話アダプタが用いられ、このＩＰ電話アダプタから電話機に直流電源が供給されるのであるが、接続される電話機の台数が多い場合は供給電力が不足する可能性があった。
【０００６】
本発明は上記問題点に鑑みて為されたものであり、その目的とするところは、電話コンセントに接続される機器に対して直流電源を供給でき、且つ、直流電源線の配線長を短くできる電話用配線システムを提供することにある。
【課題を解決するための手段】
【０００７】
上記目的を達成するために、請求項１の発明は、電話信号を伝送する通信機器からのケーブルに接続されたモジュラプラグが挿抜自在に接続されるプラグ接続口をそれぞれ有し、建物内の複数箇所にそれぞれ配設された複数の電話コンセントと、建物内に入線された電気通信事業者からの電話回線が接続されるとともに、複数の電話コンセントからの複数の電話線がそれぞれ接続され、電話回線を複数の電話線に分岐接続する電話端子台と、直流電源から直流電源線を介して供給される直流電力を、少なくとも１つの電話コンセントに重畳するＤＣ電力重畳部とを備え、少なくとも１つの電話コンセントから、当該電話コンセントのプラグ接続口に接続される機器に対して直流電力が供給されることを特徴とする。ここにおいて、ＤＣ電力重畳部が電話コンセントに直流電力を重畳するにあたっては、電話端子台と電話コンセントの間を接続する電話線に対して直流電力を重畳することによって、電話コンセントに直流電力を重畳させる場合と、電話線を介さずに電話コンセントに対して直流電力を直接重畳させる場合とがある。
【０００８】
請求項２の発明は、請求項１の発明において、電話端子台にＤＣ電力重畳部が設けられ、ＤＣ電力重畳部が、電話端子台に電話線を介して接続される少なくとも１つの電話コンセントに直流電力を重畳することを特徴とする。
【０００９】
請求項３の発明は、請求項１の発明において、電話端子台と複数の電話コンセントの間に設けられて、電話端子台からの電話線と電話コンセントからの電話線とを中継接続する中継端子台を備えるとともに、当該中継端子台にＤＣ電力重畳部が設けられ、ＤＣ電力重畳部は、中継端子台に電話線を介して接続される少なくとも１つの電話コンセントに直流電力を重畳することを特徴とする。
【００１０】
請求項４の発明は、請求項１の発明において、電話コンセントにＤＣ電力重畳部が設けられ、ＤＣ電力重畳部は、電話コンセントのプラグ接続口から、当該プラグ接続口に接続される機器に対して直流電力を供給することを特徴とする。
【００１１】
請求項５の発明は、請求項１乃至４の何れか１つの発明において、直流電源が、商用交流電源から供給される交流電力を直流電力に変換するＡＣ／ＤＣ変換部と、商用交流電源の停電時に直流電力を供給するバックアップ電源とを備えたことを特徴とする。
【発明の効果】
【００１２】
請求項１の発明によれば、少なくとも１つの電話コンセントから、この電話コンセントに接続される電話機などの通信機器に直流電力が供給されるので、電話機などの通信機器に動作電力を供給するために電力線を配線する必要が無く、建物内に配線される電力線の配線長を短くできるという効果がある。さらに、ＤＣ電力重畳部では、直流電源から直流電源線を介して供給される直流電力を電話線に重畳しているので、電話コンセントに接続される機器の台数が増加した場合でも、供給電力が不足する虞が低減し、接続可能な機器の台数を増やすことができる。
【００１３】
請求項２の発明によれば、ＤＣ電力重畳部は電話端子台に設けられているので、電話端子台に接続される複数の電話コンセントに直流電力を一括して重畳することができる。しかも、複数の電話コンセントに直流電力を直接重畳する場合は、複数の電話コンセントにそれぞれＤＣ電力重畳部を設ける必要があるが、電話端子台のみにＤＣ電力重畳部を設ければよいから、低コストで施工が容易な電話用配線システムを実現できる。
【００１４】
請求項３の発明によれば、電話端子台と電話コンセントの間に設けられた中継端子台にＤＣ電力重畳部が設けられているので、中継端子台に接続される複数の電話コンセントに直流電力を一括して重畳することができる。しかも、複数の電話コンセントにそれぞれ直流電力を直接重畳する場合は、複数の電話コンセントにそれぞれＤＣ電力重畳部を設ける必要があるが、中継端子台のみにＤＣ電力重畳部を設ければよいから、低コストで施工が容易な電話用配線システムを実現できる。
【００１５】
請求項４の発明によれば、電話コンセントにＤＣ電力重畳部が設けられているので、必要な電話コンセントのみに直流電力を重畳させることができる。
【００１６】
請求項５の発明によれば、商用交流電源の通電中はＡＣ／ＤＣコンバータから直流電源が供給されるとともに、商用交流電源の停電時にはバックアップ電源から直流電源が供給されるので、停電中も電話コンセントから直流電力を供給して、この電話コンセントに接続される機器を動作させることができる。
【発明を実施するための最良の形態】
【００１７】
以下に本発明の実施の形態を図面に基づいて説明する。
【００１８】
（実施形態１）
本発明に係る電話用配線システムの実施形態１を図１（ａ）〜（ｃ）に基づいて説明する。この電話用配線システムは、建物（加入者宅）内に入線された電気通信事業者からの電話回線Ｌ１を、建物内の複数箇所に設置された電話コンセント３に分岐配線するためのシステムである。
【００１９】
加入者宅には電力系の配線を分岐配線するための分電盤１と、電話線のような情報系の配線を分岐配線するための情報用分電盤２が設置されている。
【００２０】
分電盤１の内部には、商用交流電源ＡＣが一次側に接続される主幹ブレーカ１１と、主幹ブレーカ１１の二次側に接続される複数台の分岐ブレーカ１２と、分岐ブレーカ１２を介して入力された交流電源を直流に変換するＡＣ／ＤＣコンバータ１３と、ＡＣ／ＤＣコンバータ１３の出力と太陽電池４、二次電池５及び燃料電池６からの出力との協調をとって後述する電話端子台２１に直流電力を供給する協調制御部１４（ＤＣブレーカ）とが収納されている。
【００２１】
電話コンセント３は、図１（ａ）（ｃ）に示すように、電話信号を伝送する通信機器、例えば電話機７からのケーブル７ｂに接続されたモジュラプラグ７ａが挿抜自在に接続されるプラグ接続口３１と、電話線Ｌ２が接続される接続端子３２を備え、プラグ接続口３１と接続端子３２の間は内部の導電路３３を介して電気的に接続されている。而して電話機７からのモジュラプラグ７ａを電話コンセント３のプラグ接続口３１に接続すると、電話機７からのケーブル７ｂが電話線Ｌ２に接続されるようになっている。
【００２２】
また情報分電盤２の内部には電話端子台２１が収納されている。電話端子台２１は、図１（ｂ）に示すように、電話回線Ｌ１が接続される外線接続部２２と、複数の電話コンセント３からの電話線Ｌ２がそれぞれ接続される複数の内線接続部２３とを備え、複数の内線接続部２３は内部の導電路２４を介して外線接続部２２に接続されている。また電話端子台２１は、協調制御部１４から直流電源線Ｌ３を介して供給された直流電力を導電路２４に重畳することによって、複数の電話コンセント３からの電話線Ｌ２に直流電力を重畳させるＤＣ電力重畳部２５を備えており、電話コンセント３のプラグ接続口に接続される機器に対して、電話線Ｌ２に重畳された直流電力が供給される。尚、ＤＣ電力重畳部２５が電話コンセント３に直流電力を重畳するにあたっては、電話端子台２１と電話コンセント３の間を接続する電話線Ｌ２に直流電力を重畳することによって、電話コンセント３に直流電力を重畳させる場合と、電話線Ｌ２を介さずに電話コンセント３に対して直流電力を直接重畳させる場合とがあるが、本実施形態ではＤＣ電力重畳部２５が電話線Ｌ２に直流電力を重畳している。
【００２３】
したがって、本システムでは電話コンセント３に接続される電話機７などの機器に直流電力が供給されるので、電話機７などの機器に動作電力を供給するために電力線を別途配線する必要が無く、建物内に配線される電力線の配線長を短くできる。さらに、ＤＣ電力重畳部２５では、直流電源から直流電源線Ｌ３を介して供給される直流電力を電話コンセント３に重畳しているので、電話コンセント３に接続される機器（直流電力が供給される機器）の台数が増加した場合でも、供給電力が不足する虞が低減し、接続可能な機器の台数を増やすことができる。また、ＤＣ電力重畳部２５は電話端子台２１に設けられているので、電話端子台２１に接続される複数の電話コンセント３に直流電力を一括して重畳することができる。しかも、複数の電話コンセント３に直流電力を直接重畳する場合は、複数の電話コンセント３にそれぞれＤＣ電力重畳部を設ける必要があるが、本システムでは電話端子台２１のみにＤＣ電力重畳部２５を設ければよいから、低コストで施工が容易な電話用配線システムを実現できる。
【００２４】
ここにおいて、電話コンセント３が備えるプラグ挿入口３１は、６極２芯のモジュラジャックで構成されており、複数対のツイストペアケーブルからなる電話線Ｌ２を介して電話端子台２１に接続されているが、電話信号の通信用には１対の芯線しか使用されていない。そこで、本実施形態のＤＣ電力重畳部２５では、未使用の１対の信号線に直流電力を重畳させることで、電話線Ｌ２に直流電力を重畳させており、電話機７に対しても複数対のツイストペアケーブルからなるケーブル７ｂのうち通信用以外の１対の信号線を介して直流電力が重畳されるので、電話機７側では通信用以外の信号線から電力供給を受けることができる。尚、ＤＣ電力重畳部２５では、未使用の１対の信号線に直流電力を重畳させる代わりに、電話信号の通信に用いられる１対の芯線に直流電力を重畳させてもよく、電話機７などの機器側で電話信号の通信用の信号線から直流電力を分離して受け取るようにすればよい。
【００２５】
また本システムでは、ＤＣ電力重畳部２５に直流電源を供給する電源として、商用交流電源ＡＣから供給される交流電力を直流電力に変換するＡＣ−ＤＣコンバータ１３（ＡＣ／ＤＣ変換部）と、商用交流電源ＡＣの停電時に直流電力を供給する太陽電池４、二次電池５、燃料電池６などからなるバックアップ電源とを備えており、停電時にはこれらのバックアップ電源（太陽電池４、二次電池５、燃料電池６など）からＤＣ電力重畳部２５に直流電力が供給されるので、停電中も電話コンセント３から直流電力を供給して、この電話コンセント３に接続される機器を動作させることができる。
【００２６】
尚、本実施形態では電話端子台２１に設けたＤＣ電力重畳部２５が、電話端子台２１に接続される全ての電話コンセント３に直流電力を重畳させているが、少なくとも１つの電話コンセント３に直流電力を重畳させるようにしてもよい。
【００２７】
（実施形態２）
本発明に係る電話用配線システムの実施形態２を図２（ａ）（ｂ）に基づいて説明する。この電話用配線システムは、建物（加入者宅）内に入線された電気通信事業者からの電話回線Ｌ１を、建物内の複数箇所に設置された電話コンセント３に分岐配線するためのシステムであり、実施形態１と共通する構成要素には同一の符号を付して、その説明は省略する。
【００２８】
上述の実施形態１では、情報分電盤２の内部に設置された電話端子台２１にＤＣ電力重畳部２５を設けているのに対して、本実施形態では図２（ａ）に示すように、情報分電盤２の内部に、電話端子台２１と複数の電話コンセント３との間を中継接続する中継端子台２６を収納してあり、この中継端子台２６にＤＣ電力重畳部が設けられている。
【００２９】
図２（ｂ）は中継端子台２６の内部回路を示すブロック図であり、電話端子台２１からの電話線Ｌ４がそれぞれ接続される回線側端子部２７と、電話コンセント３からの電話線Ｌ２がそれぞれ接続されるコンセント側端子部２８とを備え、回線側端子部２７とコンセント側端子部２８との間は内部の導電路３０を介して電気的に接続されている。また中継端子台２６は、協調制御部１４から直流電源線Ｌ３を介して供給された直流電力を導電路３０に重畳することによって、複数の電話コンセント３からの電話線Ｌ２に直流電力を重畳させるＤＣ電力重畳部２９を備えており、電話コンセント３のプラグ接続口３１に接続される機器に対して、電話線Ｌ２に重畳された直流電力が供給される。すなわち本実施形態においても、実施形態１と同様に、ＤＣ電力重畳部２９が電話線Ｌ２に直流電力を重畳することによって、電話コンセント３に直流電力を重畳している。
【００３０】
したがって、本システムでは電話コンセント３に接続される電話機７などの機器に直流電力が供給されるので、電話機７などの機器に動作電力を供給するために電力線を配線する必要が無く、建物内に配線される電力線の配線長を短くできる。さらに、ＤＣ電力重畳部２９では、直流電源から直流電源線Ｌ３を介して供給される直流電力を電話コンセント３に重畳しているので、電話コンセント３に接続される機器（直流電力が供給される機器）の台数が増加した場合でも、供給電力が不足する虞が低減し、接続可能な機器の台数を増やすことができる。また、ＤＣ電力重畳部２５は中継端子台２６に設けられているので、中継端子台２６に接続される複数の電話コンセント３に直流電力を一括して重畳することができる。しかも、複数の電話コンセント３に直流電力を直接重畳する場合は、複数の電話コンセント３にそれぞれＤＣ電力重畳部を設ける必要があるが、本システムでは中継端子台２６のみにＤＣ電力重畳部２９を設ければよいから、低コストで施工が容易な電話用配線システムを実現できる。
【００３１】
ここにおいて、電話コンセント３が備えるプラグ挿入口３１は、６極２芯のモジュラジャックで構成されており、複数対のツイストペアケーブルからなる電話線Ｌ４を介して中継端子台２６に接続されているが、電話信号の通信用には１対の芯線しか使用されていない。そこで、本実施形態のＤＣ電力重畳部２９では、未使用の１対の信号線に直流電力を重畳させることで、電話線Ｌ２に直流電力を重畳させており、電話機７に対しても複数対のツイストペアケーブルからなるケーブル７ｂのうち通信用以外の１対の信号線を介して直流電力が重畳されるので、電話機７側では通信用以外の信号線から電力供給を受けることができる。尚、ＤＣ電力重畳部２９では、未使用の１対の信号線に直流電力を重畳させる代わりに、電話信号の通信に用いられる１対の芯線に直流電力を重畳させてもよく、電話機７などの機器側で電話信号の通信用の信号線から直流電力を分離して受け取るようにすればよい。
【００３２】
尚、本実施形態では中継端子台２６に設けたＤＣ電力重畳部２９が、中継端子台２６に接続される全ての電話コンセント３に直流電力を重畳させているが、少なくとも１つの電話コンセント３に直流電力を重畳させるようにしてもよい。
【００３３】
（実施形態３）
本発明の実施形態３を図３（ａ）（ｂ）に基づいて説明する。実施形態１では電話端子台２１にＤＣ電力重畳部２５を設けているのに対して、本実施形態では図３（ａ）に示すように、複数の電話コンセント３のうち、直流電源の供給が必要な電話コンセント３にＤＣ電力重畳部を設けてある。尚、ＤＣ電力重畳部を電話端子台２１に設ける代わりに電話コンセント３に設けた点を除いては実施形態１と同様であるので、実施形態１と共通する構成要素には同一の符号を付して、その説明は省略する。
【００３４】
図３（ｂ）は電話コンセント３の内部回路を説明するブロック図であり、電話コンセント３は、電話機７からのケーブル７ｂに接続されたモジュラプラグ７ａが挿抜自在に接続されるプラグ接続口３１と、電話線Ｌ２が接続される接続端子３２を備え、プラグ接続口３１と接続端子３２の間は内部の導電路３３を介して電気的に接続されている。また電話コンセント３は、協調制御部１４から直流電源線Ｌ３を介して供給された直流電力を導電路３３に重畳することによって、電話コンセント３に接続される機器に直流電力を重畳させるＤＣ電力重畳部３４を備えており、電話コンセント３のプラグ接続口に接続される機器に対して、導電路３３に重畳された直流電力が供給されるのである。尚、上述したように電話コンセント３に直流電力を重畳するにあたっては、電話線Ｌ２に直流電力を重畳することによって電話コンセント３に直流電力を重畳させる場合と、電話線Ｌ２を介さずに電話コンセント３に対して直流電力を直接重畳させる場合とがあるが、本実施形態では電話コンセント３に直流電力を直接重畳させている。
【００３５】
したがって、本システムでは電話コンセント３に接続される電話機７などの機器に直流電力が供給されるので、電話機７などの機器に動作電力を供給するために電力線を配線する必要が無く、建物内に配線される電力線の配線長を短くできる。さらに、ＤＣ電力重畳部３４では、直流電源から直流電源線Ｌ３を介して供給される直流電力を電話コンセント３に重畳しているので、電話コンセント３に接続される機器（直流電力が供給される機器）の台数が増加した場合でも、供給電力が不足する虞が低減し、接続可能な機器の台数を増やすことができる。また、ＤＣ電力重畳部３４は個々の電話コンセント３に設けられているので、必要な場所にある電話コンセント３のみに直流電力を重畳することができ、直流電源の配線路と交流電源の配線路とが混在する場合に好適である。
【００３６】
ここにおいて、電話コンセント３が備えるプラグ挿入口３１は、６極２芯のモジュラジャックで構成されており、電話信号（アナログ）の通信用には２極しか使用されず、残りの４極は使用されていない。そこで、本実施形態のＤＣ電力重畳部３４では、モジュラジャックの６極の端子のうち、未使用の２極の端子に直流電力を重畳させており、電話機７側では通信用以外の２極の端子から電力供給を受けることができる。尚、ＤＣ電力重畳部３４では、未使用の２極の端子に直流電力を重畳させる代わりに、電話信号の通信に用いられる２極の端子に直流電力を重畳させてもよく、電話機７などの機器側で電話信号の通信用の端子から直流電力を分離して受け取るようにすればよい。
【図面の簡単な説明】
【００３７】
【図１】実施形態１を示し、（ａ）はシステム構成図、（ｂ）は電話端子台のブロック図、（ｃ）は電話コンセントのブロック図である。
【図２】実施形態２を示し、（ａ）はシステム構成図、（ｂ）は中継端子台のブロック図である。
【図３】実施形態３を示し、（ａ）はシステム構成図、（ｂ）は電話コンセントのブロック図である。
【符号の説明】
【００３８】
２  電話端子台
７  電話機（通信機器）
７ａ  モジュラプラグ
７ｂ  ケーブル
３  電話コンセント
１４  協調制御部
２５  ＤＣ電力重畳部
３１  プラグ接続口
Ｌ１  電話回線
Ｌ２  電話線
Ｌ３  直流電源線
【図１】
2010081146.tif 000003
【図２】
2010081146.tif 000004
【図３】
2010081146.tif 000005